(57)【特許請求の範囲】
【請求項１】
建物壁の出隅部に沿って凸状に屈曲する天壁部と、当該天壁部の幅方向の両端部に一体に接続されて、先端面が前記出隅部を構成する二壁面に沿って略当接する一対の側壁部と、前記二壁面に配置される直状保護カバーを接続するために、配管方向に沿った両端にそれぞれ設けられた接続口とを備え、前記出隅部を覆う形態で配置される出隅部保護カバー体と、
前記建物壁の入隅部に沿って凹状に屈曲する天壁部と、当該天壁部の幅方向の両端部に一体に接続されて、先端面が前記入隅部を構成する二壁面に沿って略当接する一対の側壁部と、前記二壁面に配置される直状保護カバーを接続するために、配管方向に沿った両端にそれぞれ設けられた接続口とを備え、前記入隅部に嵌め込まれる形態で配置される入隅部保護カバー体と、
前記出隅部又は入隅部を構成する二壁面のうち一方の壁面のみに沿うように直状に形成されたベース部と、前記した二種類の各保護カバー体のいずれに対しても組付け可能なように当該ベース部に一体に形成されて、前記各保護カバー体の一対の側壁部における一方の壁面に対応した部分に設けられた組付部に対して組付け可能な被組付部とを備えたベース体と、
から成り、
前記ベース体には、ベース部に一体に形成された被組付部から長手方向に延出されて、出隅部又は入隅部を構成する二つの壁面の交差部に位置合せすることで、出隅部及び入隅部の各保護カバー体の組付部に対応する位置に被組付部を配置可能とする位置合せ片が一体に設けられ、
前記ベース体は、前記した出隅部及び入隅部のいずれの保護カバー体に対しても一組となって使用されて、各保護カバー体に対して共用されることを特徴とする保護カバー装置。
【請求項２】
前記位置合せ片は、被組付部に対して長手方向の両側にそれぞれ異なる長さだけ延出された出隅部用及び入隅部用の各位置合せ片で構成されることを特徴とする請求項１に記載の保護カバー装置。
【請求項３】
建物壁の出隅部に沿って凸状に屈曲する天壁部と、当該天壁部の幅方向の両端部に一体に接続されて、先端面が前記出隅部を構成する二壁面に沿って略当接する一対の側壁部と、前記二壁面に配置される直状保護カバーを接続するために、配管方向に沿った両端にそれぞれ設けられた接続口とを備え、前記出隅部を覆う形態で配置される出隅部保護カバー体と、
前記建物壁の入隅部に沿って凹状に屈曲する天壁部と、当該天壁部の幅方向の両端部に一体に接続されて、先端面が前記入隅部を構成する二壁面に沿って略当接する一対の側壁部と、前記二壁面に配置される直状保護カバーを接続するために、配管方向に沿った両端にそれぞれ設けられた接続口とを備え、前記入隅部に嵌め込まれる形態で配置される入隅部保護カバー体と、
前記出隅部又は入隅部を構成する二壁面のうち一方の壁面のみに沿うように直状に形成されたベース部と、前記した二種類の各保護カバー体のいずれに対しても組付け可能なように当該ベース部に一体に形成されて、前記各保護カバー体の一対の側壁部における一方の壁面に対応した部分に設けられた組付部に対して組付け可能な被組付部とを備えたベース体と、
から成り、
前記ベース体のベース部の長さは、入隅部保護カバー体における組付部が設けられた側の壁面に配置される長さと等しくなっていて、
前記出隅部保護カバー体に設けられる組付部と建物壁の出隅部の交差部との距離は、前記入隅部保護カバー体に設けられる組付部と当該入隅部保護カバー体の当該組付部が形成された側の接続口との距離と等しくなっており、
前記ベース体は、前記した出隅部及び入隅部のいずれの保護カバー体に対しても一組となって使用されて、各保護カバー体に対して共用されることを特徴とする保護カバー装置。
【請求項４】
前記出隅部及び／又は入隅部の各保護カバー体は、当該出隅部及び／又は入隅部を構成する二つの壁面に配置される各部分の長さが異なっていて、長さの長い側のみに組付部が形成されていることを特徴とする請求項１ないし３のいずれかに記載の保護カバー装置。
【請求項５】
前記出隅部及び／又は入隅部の各保護カバー体の接続口に接続される直状保護カバーを備え、
前記ベース体のベース部に被組付部の両側に設けられた各位置合せ片のうち前記出隅部及び／又は入隅部の反交差部側の位置合せ片は、前記直状保護カバーを構成するベース体の幅方向の位置合せが可能なように、当該ベース体に嵌合される構成であることを特徴とする請求項３又は４に記載の保護カバー装置。
【請求項６】
建物壁の出隅部に沿って凸状に屈曲する天壁部と、当該天壁部の幅方向の両端部に一体に接続されて、先端面が前記出隅部を構成する二壁面に沿って略当接する一対の側壁部と、前記二壁面に配置される直状保護カバーを接続するために、配管方向に沿った両端にそれぞれ設けられた接続口とを備え、前記出隅部を覆う形態で配置される出隅部保護カバー体と、
前記出隅部を構成する二壁面のうち一方の壁面のみに沿うように直状に形成されたベース部と、前記出隅部保護カバー体に対しても組付け可能なように当該ベース部に一体に形成されて、前記出隅部保護カバー体の一対の側壁部における一方の壁面に対応した部分に設けられた組付部に対して組付け可能な被組付部とを備えた出隅部ベース体と、
前記建物壁の入隅部に沿って凹状に屈曲する天壁部と、当該天壁部の幅方向の両端部に一体に接続されて、先端面が前記入隅部を構成する二壁面に沿って略当接する一対の側壁部と、前記二壁面に配置される直状保護カバーを接続するために、配管方向に沿った両端にそれぞれ設けられた接続口とを備え、前記入隅部に嵌め込まれる形態で配置される入隅部保護カバー体と、
前記入隅部を構成する二壁面のうち一方の壁面のみに沿うように直状に形成されたベース部と、前記入隅部保護カバー体に対しても組付け可能なように当該ベース部に一体に形成されて、前記入隅部保護カバー体の一対の側壁部における一方の壁面に対応した部分に設けられた組付部に対して組付け可能な被組付部とを備えた入隅部ベース体と、
から成り、
前記出隅部及び入隅部の各ベース体には、ベース部に一体に形成された被組付部から長手方向に延出されて、出隅部又は入隅部を構成する二つの壁面の交差部に位置合せすることで、出隅部及び入隅部の各保護カバー体の組付部に対応する位置に被組付部を配置可能とする位置合せ片が一体に設けられ、
前記出隅部及び入隅部の各ベース体は、前記した二種類の各保護カバー体のいずれに対しても組付け可能であることを特徴とする保護カバー装置。
【請求項７】
建物の出隅部を覆う形態で配置される出隅部保護カバー体、同じく入隅部に嵌め込まれる形態で配置される入隅部保護カバー体及び一般の壁面に配置される二本の直状保護カバーを接続する直線接続保護カバー体のいずれに対しても一組となって使用されて、前記出隅部、入隅部又は壁面に対して前記各保護カバーを固定するのに使用されるベース体であって、
前記出隅部又は入隅部を構成する二壁面のうち一方の壁面のみに沿うように、或いは前記した一般の壁面に沿うように直状に形成されたベース部と、前記した三種類の保護カバー体のいずれに対しても組付け可能なように当該ベース体に一体に形成されて、前記各保護カバー体の一対の側壁部の内側面に設けられた各組付部のいずれに対しても組付け可能な被組付部とを備え、
前記ベース部に一体に形成された被組付部から長手方向に延出されて、出隅部又は入隅部を構成する二つの壁面の交差部に位置合せすることで、出隅部及び入隅部の各保護カバー体の組付部に対応する位置に被組付部を配置可能とする位置合せ片が一体に設けられていることを特徴とするベース体。
【請求項８】
建物の出隅部を覆う形態で配置される出隅部保護カバー体、同じく入隅部に嵌め込まれる形態で配置される入隅部保護カバー体、及び一般の壁面に配置される２本又は３本の直状保護カバーを接続する直線接続保護カバー体の計三種類の保護カバー体と、
前記三種類の保護カバー体を前記出隅部又は入隅部を構成する壁面、或いは一般の壁面に固定するのに用いられる請求項７に記載の複数本のベース体と、
から成り、
前記出隅部又は入隅部の場合には、当該各隅部を構成する二つの壁面にそれぞれ前記２本のベース体がそれぞれ固定され、一般の壁面の場合には、２本のベース体が直列に並べられたり、或いは３本のベース体がＴ字状に配置されて固定され、
前記複数本のベース体を介して前記した三種類の保護カバー体が出隅部又は入隅部を構成する壁面、或いは一般の壁面に固定されることを特徴とする保護カバー装置。
【発明の詳細な説明】
【技術分野】
【０００１】
本発明は、建物の出隅部、及び入隅部に配置される配管材を覆うための出隅部保護カバー、及び入隅部保護カバー、更には、壁面に直線配管される２本の直状保護カバーを接続する直線接続保護カバーを構成するベース体を共用可能にした保護カバー装置、及びベース体に関するものである。
【０００２】
以下に使用される「保護カバー」とは、壁面に固定される単一の「ベース体」と、当該ベース体に組み付けられる単一の「カバー体」とで構成される配管材のカバー機能を有する組付体を指し、「保護カバー装置」とは、種類の異なる複数の「カバー体」と、当該複数の「カバー体」のいずれも壁面に固定可能とする一種類の「ベース体」との組み合せに係る概念を指す。更に、前記した「保護カバー」或いは「保護カバー装置」を構成する単体部材には、「カバー体」、「ベース体」のように「部材名称」の末尾に「体」を付して、その旨を明確化する。
【背景技術】
【０００３】
建物の出隅部及び入隅部に配管される配管材を覆うには、出隅部保護カバー、及び入隅部保護カバーがそれぞれ使用される。出隅部、及び入隅部の各保護カバーは、いずれも出隅部又は入隅部を構成する二つの壁面に跨がった形態で固定されるベース体と、当該ベース体に組み付けられるカバー体とで構成され、当然のことながら、出隅部、及び入隅部に使用される各ベース体の形状は、互いに全く異なっていると共に、各カバー体の形状も、同様に全く異なっている（特許文献１の図９及び図１０）。
【０００４】
よって、特定の呼径の配管材を建物の出隅部及び入隅部に配管するには、当該呼径に対応した出隅部及び入隅部の各保護カバーが必要となり、結果として、計４種類の構成部品を成形（多くは、射出成形）する必要があり、計４種類の部品に対応した成形金型の製作、及び部品管理が必要となって、成形金型の製作、及び部品管理の双方においてコスト高となっていた。
【０００５】
また、施工面においては、出隅部及び入隅部に対して各ベース体を固定するには、当該出隅部及び入隅部を構成する直交する二つの壁面に対してベース体の互いに直交する部分をビス類を介して固定していた。即ち、一つのベース体を出隅部又は入隅部に固定するのに、当該出隅部又は入隅部を構成する二つの壁面に対してそれぞれ固定しており、固定作業が手間がかかるという問題もあった。
【先行技術文献】
【特許文献】
【０００６】
【特許文献１】実開平６−１６７９９号公報
【発明の概要】
【発明が解決しようとする課題】
【０００７】
本発明は、建物の出隅部、及び入隅部に配置される配管材を覆うための出隅部保護カバー、及び入隅部保護カバー、更には、壁面に直線配管される２本の直状保護カバーを接続する直線接続保護カバーを構成するベース体を共用可能にすることを課題としている。
【課題を解決するための手段】
【０００８】
上記の課題を解決するための請求項１の発明は、建物壁の出隅部に沿って凸状に屈曲する天壁部と、当該天壁部の幅方向の両端部に一体に接続されて、先端面が前記出隅部を構成する二壁面に沿って略当接する一対の側壁部と、前記二壁面に配置される直状保護カバーを接続するために、配管方向に沿った両端にそれぞれ設けられた接続口とを備え、前記出隅部を覆う形態で配置される出隅部保護カバー体と、前記建物壁の入隅部に沿って凹状に屈曲する天壁部と、当該天壁部の幅方向の両端部に一体に接続されて、先端面が前記入隅部を構成する二壁面に沿って略当接する一対の側壁部と、前記二壁面に配置される直状保護カバーを接続するために、配管方向に沿った両端にそれぞれ設けられた接続口とを備え、前記入隅部に嵌め込まれる形態で配置される入隅部保護カバー体と、前記出隅部又は入隅部を構成する二壁面のうち一方の壁面のみに沿うように直状に形成されたベース部と、前記した二種類の各保護カバー体のいずれに対しても組付け可能なように当該ベース部に一体に形成されて、前記各保護カバー体の一対の側壁部における一方の壁面に対応した部分に設けられた組付部に対して組付け可能な被組付部とを備えたベース体とから成り、前記ベース体には、ベース部に一体に形成された被組付部から長手方向に延出されて、出隅部又は入隅部を構成する二つの壁面の交差部に位置合せすることで、出隅部及び入隅部の各保護カバー体の組付部に対応する位置に被組付部を配置可能とする位置合せ片が一体に設けられ、前記ベース体は、前記した出隅部及び入隅部のいずれの保護カバー体に対しても一組となって使用されて、各保護カバー体に対して共用されることを特徴としている。
【０００９】
請求項１の発明によれば、ベース部と被組付部とを備えたベース体は、出隅部又は入隅部を構成する二壁面のうち一方の壁面のみに沿うように直状に形成されて、二種類の出隅部及び入隅部の各保護カバー体のいずれに対しても組付け可能となっている。この結果、出隅部又は入隅部を構成する一方の壁面に対してベース体を固定する際に、当該ベース体の被組付部の位置を、出隅部又は入隅部に配置される出隅部保護カバー体又は入隅部保護カバー体の一対の側壁部の内側面に設けられた組付部の位置に対応させることにより、同一のベース体を出隅部保護カバー体及び入隅部保護カバー体のいずれに対しても一組として使用して、当該ベース体を共用させられる。
【００１０】
出隅部保護カバー体及び入隅部保護カバー体に対してベース体を共用させられる結果、出隅部保護カバー及び入隅部保護カバーを構成する部材の数が「３」となって、部材数（部品数）を減少させられる。この結果、成形金型の製作、部材の管理が容易になると共に、配管材の配管時には、出隅部又は入隅部を構成する二つの壁面の一方に対してのみベース体を固定すればよく、配管作業も容易となる。
【００１１】
【００１２】
更に、請求項１の発明によれば、ベース体の位置合せ片を、出隅部又は入隅部を構成する二つの壁面の交差部に当てがうことにより、出隅部及び入隅部の各保護カバー体の組付部に対応する位置に、ベース体の被組付部を配置できて、前記二つの壁面の一方に対するベース体の固定位置を正しく定められる。
【００１３】
請求項２の発明は、請求項１の発明において、前記位置合せ片は、被組付部に対して長手方向の両側にそれぞれ異なる長さだけ延出された出隅部用及び入隅部用の各位置合せ片で構成されることを特徴としている。
【００１４】
請求項２の発明によれば、建物の出隅部及び入隅部にベース体をそれぞれ固定する際に、各交差部を基準にして、当該ベース体の両端の位置を逆した状態で配置することにより、配管方向に沿った当該ベース体の両端の配置をそのままにして、出隅部及び入隅部の各交差部に対する位置合せ面を変更させるのみで、出隅部及び入隅部のいずれにおいても、当該ベース体の被組付部の位置を、出隅部及び入隅部の各保護カバー体の一対の側壁部の内側面に設けられた組付部の位置に対応させられる。この結果、出隅部及び入隅部を構成する二つの壁面の一方に対してベース体を固定する際の位置決め作業が容易となる。
【００１５】
請求項３の発明は、建物壁の出隅部に沿って凸状に屈曲する天壁部と、当該天壁部の幅方向の両端部に一体に接続されて、先端面が前記出隅部を構成する二壁面に沿って略当接する一対の側壁部と、前記二壁面に配置される直状保護カバーを接続するために、配管方向に沿った両端にそれぞれ設けられた接続口とを備え、前記出隅部を覆う形態で配置される出隅部保護カバー体と、前記建物壁の入隅部に沿って凹状に屈曲する天壁部と、当該天壁部の幅方向の両端部に一体に接続されて、先端面が前記入隅部を構成する二壁面に沿って略当接する一対の側壁部と、前記二壁面に配置される直状保護カバーを接続するために、配管方向に沿った両端にそれぞれ設けられた接続口とを備え、前記入隅部に嵌め込まれる形態で配置される入隅部保護カバー体と、前記出隅部又は入隅部を構成する二壁面のうち一方の壁面のみに沿うように直状に形成されたベース部と、前記した二種類の各保護カバー体のいずれに対しても組付け可能なように当該ベース部に一体に形成されて、前記各保護カバー体の一対の側壁部における一方の壁面に対応した部分に設けられた組付部に対して組付け可能な被組付部とを備えたベース体とから成り、前記ベース体のベース部の長さは、入隅部保護カバー体における組付部が設けられた側の壁面に配置される長さと等しくなっていて、前記出隅部保護カバー体に設けられる組付部と建物壁の出隅部の交差部との距離は、前記入隅部保護カバー体に設けられる組付部と当該入隅部保護カバー体の当該組付部が形成された側の接続口との距離と等しくなっており、前記ベース体は、前記した出隅部及び入隅部のいずれの保護カバー体に対しても一組となって使用されて、各保護カバー体に対して共用されることを特徴としている。
【００１６】
請求項３の発明によれば、入隅部を構成する二つの壁面の一方にベース体を固定した状態において、当該ベース体の全体が、入隅部保護カバー体における組付部が形成された側の部分に収容されて、当該ベース体の突出部がなくなるため、直状保護カバーとの接続作業がし易くなる。なお、出隅部においては、当該ベース体の一部は、出隅部保護カバー体を屈曲部で二分した場合において、組付部が設けられた側の部分の接続口から所定長だけ突出する。
【００１７】
請求項４の発明は、請求項１ないし３のいずれかの発明において、前記出隅部及び／又は入隅部の各保護カバー体は、当該出隅部及び／又は入隅部を構成する二つの壁面に配置される各部分の長さが異なっていて、長さの長い側のみに組付部が形成されていることを特徴としている。
【００１８】
請求項４の発明によれば、出隅部及び／又は入隅部の各保護カバー体は、出隅部及び／又は入隅部を構成する二つの壁面に配置される各部分のうち、長さの長い側において、壁面に固定されたベース体に組付けられて、当該壁面に固定される。このため、出隅部又は入隅部を構成する二つの壁面の一方に出隅部保護カバー体又は入隅部保護カバー体をベース体を介して固定する構造において、固定状態が安定化する。
【００１９】
請求項５の発明は、請求項３又は４の発明において、前記出隅部及び／又は入隅部の各保護カバー体の接続口に接続される直状保護カバーを備え、前記ベース体のベース部に被組付部の両側に設けられた各位置合せ片のうち前記出隅部及び／又は入隅部の反交差部側の位置合せ片は、前記直状保護カバーを構成するベース体の幅方向の位置合せが可能なように、当該ベース体に嵌合される構成であることを特徴としている。
【００２０】
請求項５の発明によれば、出隅部又は入隅部を構成する二つの壁面の一方にベース体が固定された状態において、当該ベース体のベース部に被組付部の両側に配置して設けられた各位置合せ片のうち、反交差部側の位置合せ片は、直状保護カバーを構成するベース体を壁面に固定する際に、当該ベース体に嵌合されて、幅方向の位置合せが行われる。このように、ベース体における被組付部の両側に設けられた各位置合せ片は、自身に設けられた被組付部の壁面に対する配管方向に沿った配置位置を定めるのみならず、出隅部保護カバー体又は入隅部保護カバー体に接続される直状保護カバーを構成するベース体の幅方向の位置合せも行える。即ち、ベース体に設けられた一つの位置合せ片が二つの機能を備えることになる。
【００２１】
請求項６の発明は、建物壁の出隅部に沿って凸状に屈曲する天壁部と、当該天壁部の幅方向の両端部に一体に接続されて、先端面が前記出隅部を構成する二壁面に沿って略当接する一対の側壁部と、前記二壁面に配置される直状保護カバーを接続するために、配管方向に沿った両端にそれぞれ設けられた接続口とを備え、前記出隅部を覆う形態で配置される出隅部保護カバー体と、前記出隅部を構成する二壁面のうち一方の壁面のみに沿うように直状に形成されたベース部と、前記出隅部保護カバー体に対しても組付け可能なように当該ベース部に一体に形成されて、前記出隅部保護カバー体の一対の側壁部における一方の壁面に対応した部分に設けられた組付部に対して組付け可能な被組付部とを備えた出隅部ベース体と、前記建物壁の入隅部に沿って凹状に屈曲する天壁部と、当該天壁部の幅方向の両端部に一体に接続されて、先端面が前記入隅部を構成する二壁面に沿って略当接する一対の側壁部と、前記二壁面に配置される直状保護カバーを接続するために、配管方向に沿った両端にそれぞれ設けられた接続口とを備え、前記入隅部に嵌め込まれる形態で配置される入隅部保護カバー体と、前記入隅部を構成する二壁面のうち一方の壁面のみに沿うように直状に形成されたベース部と、前記入隅部保護カバー体に対しても組付け可能なように当該ベース部に一体に形成されて、前記入隅部保護カバー体の一対の側壁部における一方の壁面に対応した部分に設けられた組付部に対して組付け可能な被組付部とを備えた入隅部ベース体とから成り、前記出隅部及び入隅部の各ベース体には、ベース部に一体に形成された被組付部から長手方向に延出されて、出隅部又は入隅部を構成する二つの壁面の交差部に位置合せすることで、出隅部及び入隅部の各保護カバー体の組付部に対応する位置に被組付部を配置可能とする位置合せ片が一体に設けられ、
前記出隅部及び入隅部の各ベース体は、前記した二種類の各保護カバー体のいずれに対しても組付け可能であることを特徴としている。
【００２２】
請求項６の発明によれば、出隅部又は入隅部のベース体の位置合せ片を、出隅部又は入隅部を構成する二つの壁面の交差部に当てがうことにより、出隅部及び入隅部の各保護カバー体の組付部に対応する位置に、ベース体の被組付部を配置できて、前記二つの壁面の一方に対するベース体の固定位置を正しく定められる。このため、出隅部及び入隅部の各ベース体は、出隅部及び入隅部の二種類の各保護カバー体のいずれに対しても組付け可能となっていて、ベース体が出隅部用であるか、或いは入隅部用であるかを特定する必要がなくなるため、当該ベース体の管理が容易となる利点がある。例えば、保管時において、出隅部保護カバーを構成する出隅部保護カバー体と出隅部ベース体とが一体に組み付けられた状態において、両者が分離されて出隅部ベース体が紛失された場合において、出隅部保護カバー体に対しては出隅部用又は入隅部用のいずれかのベース体でも組付け可能となって、ベース体に係る管理が容易となる。
【００２３】
請求項７の発明は、建物の出隅部を覆う形態で配置される出隅部保護カバー体、同じく入隅部に嵌め込まれる形態で配置される入隅部保護カバー体及び一般の壁面に配置される二本の直状保護カバーを接続する直線接続保護カバー体のいずれに対しても一組となって使用されて、前記出隅部、入隅部又は壁面に対して前記各保護カバーを固定するのに使用されるベース体であって、前記出隅部又は入隅部を構成する二壁面のうち一方の壁面のみに沿うように、或いは前記した一般の壁面に沿うように直状に形成されたベース部と、前記した三種類の保護カバー体のいずれに対しても組付け可能なように当該ベース体に一体に形成されて、前記各保護カバー体の一対の側壁部の内側面に設けられた各組付部のいずれに対しても組付け可能な被組付部とを備え、前記ベース部に一体に形成された被組付部から長手方向に延出されて、出隅部又は入隅部を構成する二つの壁面の交差部に位置合せすることで、出隅部及び入隅部の各保護カバー体の組付部に対応する位置に被組付部を配置可能とする位置合せ片が一体に設けられていることを特徴としている。
【００２４】
請求項７の発明によれば、出隅部又は入隅部のベース体の位置合せ片を、出隅部又は入隅部を構成する二つの壁面の交差部に当てがうことにより、出隅部及び入隅部の各保護カバー体の組付部に対応する位置に、ベース体の被組付部を配置できて、前記二つの壁面の一方に対するベース体の固定位置を正しく定められるために、出隅部保護カバー体、入隅部保護カバー体、及び直線接続保護カバー体の異なる三種類の保護カバー体に対してベース体が共用可能となって、出隅部保護カバー、入隅部保護カバー、及び直線接続保護カバーを、出隅部又は入隅部を構成する二つの壁面のうちの一方の壁面、或いは直状保護カバーが配置される一般的な壁面に対して固定可能となる。
【００２５】
請求項８の発明は、建物の出隅部を覆う形態で配置される出隅部保護カバー体、同じく入隅部に嵌め込まれる形態で配置される入隅部保護カバー体、及び一般の壁面に配置される２本又は３本の直状保護カバーを接続する直線接続保護カバー体の計三種類の保護カバー体と、前記三種類の保護カバー体を前記出隅部又は入隅部を構成する壁面、或いは一般の壁面に固定するのに用いられる請求項７に記載の複数本のベース体とから成り、前記出隅部又は入隅部の場合には、当該各隅部を構成する二つの壁面にそれぞれ前記２本のベース体がそれぞれ固定され、一般の壁面の場合には、２本のベース体が直列に並べられたり、或いは３本のベース体がＴ字状に配置されて固定され、前記複数本のベース体を介して前記した三種類の保護カバー体が出隅部又は入隅部を構成する壁面、或いは一般の壁面に固定されることを特徴としている。
【００２６】
請求項８の発明によれば、出隅部保護カバー体、及び入隅部保護カバー体は、２本のベース体を介して出隅部又は入隅部を形成する二つの壁面に対してそれぞれ固定されると共に、直線接続保護カバー体は、直列に接続された２本のベース体、或いはＴ字状に配置された３本のベース体を介して一般の壁面に固定されるために、各保護カバー体の固定構造がしっかりする。特に、屈曲部で二分した二つの部分の長さが同一である一般形状を有する出隅部保護カバー体又は入隅部保護カバー体の使用が可能となる。
【発明の効果】
【００２７】
本発明によれば、ベース部と被組付部とを備えたベース体には、ベース部に一体に形成された被組付部から長手方向に延出されて、出隅部又は入隅部を構成する二つの壁面の交差部に位置合せすることで、出隅部及び入隅部の各保護カバー体の組付部に対応する位置に被組付部を配置可能とする位置合せ片が一体に設けられていて、前記ベース体は、出隅部又は入隅部を構成する二壁面のうち一方の壁面のみに沿うように直状に形成されて、二種類の出隅部及び入隅部の各保護カバー体のいずれに対しても組付け可能となっているため、出隅部又は入隅部を構成する一方の壁面に対してベース体を固定する際に、当該ベース体の被組付部の位置を、出隅部又は入隅部に配置される出隅部保護カバー体又は入隅部保護カバー体の一対の側壁部の内側面に設けられた組付部の位置に対応させることにより、同一のベース体を出隅部保護カバー体及び入隅部保護カバー体のいずれに対しても一組として使用して、当該ベース体を共用させられる。この結果、出隅部保護カバー体及び入隅部保護カバー体に対してベース体を共用させられる結果、出隅部保護カバー及び入隅部保護カバーを構成する部材の数が「３」となって、部材数（部品数）を減少させられて、成形金型の製作、部材の管理が容易になると共に、配管材の配管時には、出隅部又は入隅部を構成する二つの壁面の一方に対してのみベース体を固定すればよく、配管作業も容易となる。
【図面の簡単な説明】
【００２８】
【図１】建物壁の隣接する出隅部Ａ及び入隅部Ｂを構成する各壁面Ｗ1 ，Ｗ3 に出隅部及び入隅部の各保護カバーＣ1 ，Ｃ2 の各ベース体Ｖ1 を固定した状態の斜視図である。
【図２】各壁面Ｗ1 ，Ｗ3 に固定された各ベース体Ｖ1 に直状保護カバーＣ3 のベース体Ｖ3 を接続して、配管材Ｐを配管した状態の斜視図である。
【図３】直状保護カバーＣ3 のベース体Ｖ3 にカバー体Ｋ3 を覆蓋すると共に、配管材Ｐの壁面Ｗ2 に配置された部分を直状カバー体Ｋ0 で覆った状態の斜視図である。
【図４】配管材Ｐの出隅配管部及び入隅配管部が出隅部及び入隅部の各保護カバーＣ1 ，Ｃ2 の各カバー体Ｋ1 ，Ｋ2 で覆われた状態の斜視図である。
【図５】（ａ）は、各保護カバーＣ1 ，Ｃ2 の組付部分の横断面図であり、（ｂ）は、各保護カバーＣ1 ，Ｃ2 のベース体Ｖ1 と直状保護カバーＣ3 のベース体Ｖ3 との嵌合状態の横断面図である。
【図６】出隅部及び入隅部の各保護カバーＣ1 ，Ｃ2 と直状カバー体Ｋ0 との組付け状態の平面断面図である。
【図７】出隅部及び入隅部の各保護カバーＣ1 ，Ｃ2 を構成するベース体Ｖ1 とカバー体Ｋ1 ，Ｋ2 の組付状態の斜視図である。
【図８】（ａ），（ｂ）は、出隅部及び入隅部の各保護カバーＣ1 ，Ｃ2 を構成するベース体Ｖ1 を異なる方向から見た斜視図である。
【図９】出隅部及び入隅部の各保護カバーＣ1 ，Ｃ2 を構成する各カバー体Ｋ1 、Ｋ2 の各組付凸部１６，２６とベース体Ｖ1 の被組付凹部４との位置関係を説明するための図である。
【図１０】罫書き線を罫書かなくても出隅部保護カバーＣ1 を配管経路に設置可能とする配管例を示す模式図である。
【図１１】直交配置される一対のベース体Ｖ1 を有する出隅部保護カバーＣ1'の斜視図である。
【図１２】２本の直状保護カバーＣ3 が直線接続保護カバーＣ4 を介して接続される状態を示す斜視図である。
【図１３】直列に並べられた２本のベース体Ｖ1 を有する直線接続保護カバーＣ5 を介して２本の直状保護カバーＣ3 が接続される状態を示す斜視図である。
【図１４】Ｔ字状に配置された３本のベース体Ｖ1 を有するＴ字接続保護カバーＣ6 を介して３本の直状保護カバーＣ3 が接続される状態を示す斜視図である。
【発明を実施するための形態】
【００２９】
以下、実施例を挙げて、本発明を更に詳細に説明する。最初に、図１〜図９を参照して、本発明の実施に使用される出隅部保護カバーＣ1 、入隅部保護カバーＣ2 及び直状保護カバーＣ3 について説明し、その後に、各保護カバーＣ1 〜Ｃ3 を使用して、建物壁の出隅部Ａ及び入隅部Ｂを通って各壁面Ｗ1 〜Ｗ3 に配管材Ｐを配管する方法（施工順序）について説明する。なお、出隅部Ａを構成する各壁面Ｗ1 ，Ｗ2 及び入隅部Ｂを構成する各壁面Ｗ2 ，Ｗ3 は、互いに直交している。
【００３０】
出隅部及び入隅部の各保護カバーＣ1 ，Ｃ2 は、図３〜図９に示されるように、配管材Ｐにおける建物壁の出隅部Ａ及び入隅部Ｂに配管される部分を覆う部材であって、共通のベース体Ｖ1 とカバー体Ｋ1 ，Ｋ2 とで構成される。共通のベース体Ｖ1 は、図８及び図９に示されるように、配管方向に沿って配置される長方形板状をしたベース部１の長手方向に沿って中央からずれた位置に幅広部２が形成され、当該幅広部２の両端部に上方に向けて一対の起立部３が一体に起立して設けられている。ベース部１の長さ（Ｌ01）は、入隅部保護カバーＣ2 における二つの壁面Ｗ2 ，Ｗ3 に配置される部分のうち壁面Ｗ3 に配置される長さの長い側の部分の長さ（Ｌ21）と同一である。直状保護カバーＣ3 のベース体Ｖ3 には、前記した共通のベース部１が挿入されて、当該ベース部１に対する幅方向の位置を定めるための位置決め凹部３４〔図５（ｂ）参照〕が形成されており、当該ベース体Ｖ1 のベース部１の幅（Ｕ1 ）は、前記ベース体Ｖ3 の位置決め凹部３４の幅（Ｕ3 ）よりも僅かに小さくなっている。ベース体Ｖ1 の一対の起立部３の外側面における下端部には、後述の出隅部及び入隅部の各保護カバーＣ1 ，Ｃ2 を構成する各カバー体Ｋ1 ，Ｋ2 の内側面に設けられた一対一組の組付凸部１６，２６が嵌合される被組付凹部４が形成されている。また、ベース部１の幅方向の中央部には、全長に亘って位置決め凹条５が設けられ、前記幅広部２における当該位置決め凹条５の部分には、建物壁における出隅部Ａ及び入隅部Ｂを形成する二つの壁面Ｗ1 ，Ｗ2 （Ｗ2 ，Ｗ3 ）のうちの一方の壁面Ｗ1 （Ｗ3 ）に対して前記ベース体Ｖ1 を固定するビス９１の挿通孔６が形成されている。
【００３１】
また、ベース体Ｖ1 のベース部１には、長手方向に沿った中央部から一方の端部にずれた位置に一対の被組付凹部４が配置されていて、前記ベース部１における当該一対の被組付凹部４を基準にして両側に延出している部分は、それぞれ当該ベース体Ｖ1 を前記壁面Ｗ1 （Ｗ3 ）に固定する際の配管方向に沿った位置決め機能を果す出隅部用及び入隅部用の各位置合せ片７，８として機能している。
【００３２】
次に、図６〜図９を参照して、出隅部及び入隅部の各保護カバーＣ1 ，Ｃ2 を構成する各カバー体Ｋ1 ，Ｋ2 について説明する。出隅部保護カバーＣ1 のカバー体Ｋ1 は、建物壁の出隅部Ａに沿って凸状に屈曲する天壁部１１と、当該天壁部１１の幅方向の両端部に一体に接続されて、先端面が出隅部Ａを構成する二つの各壁面Ｗ1 ，Ｗ2 に沿って略当接する一対の側壁部１２と、前記各壁面Ｗ1 ，Ｗ2 に沿って配置される直状保護カバーＣ3 及び直状カバー体Ｋ0 を接続するための互いに直交する各接続口１３，１４とを備えている。カバー体Ｋ1 の各側壁部１２の各壁面Ｗ1 ，Ｗ2 に当接する内側の部分は、当該各壁面Ｗ1 ，Ｗ2 の交差部Ａ0 に配置可能なように直角に切り欠かれた形状となっており、出隅部Ａの交差部Ａ0 に宛てがわれる部分を交差部対応部１５という。カバー体Ｋ1 における各壁面Ｗ1 ，Ｗ2 に配置される各部分の長さＬ11，Ｌ12は異なっていて、壁面Ｗ1 に配置される側が、壁面Ｗ2 に配置される側よりも遥かに長くなるように形成されている。そして、一対の側壁部１２における長さの長い側の内側面のみに、ベース体Ｖ1 の一対の被組付凹部４に嵌合される一対の組付凸部１６が対向して形成されている。一対の組付凸部１６と前記交差部対応部１５との間の距離（Ｌ13）は、前記ベース体Ｖ1 の一対の被組付凹部４と出隅部用位置合せ片７の端面７ａとの間の距離（Ｌ02）に等しい（図９参照）。
【００３３】
一方、入隅部保護カバーＣ2 のカバー体Ｋ2 は、建物壁の入隅部Ｂに沿って凹状に屈曲する天壁部２１と、当該天壁部２１の幅方向の両端部に一体に接続されて、先端面が出隅部Ａを構成する二つの各壁面Ｗ2 ，Ｗ3 に沿って略当接する一対の側壁部２２と、前記各壁面Ｗ2 ，Ｗ3 に沿って配置される直状カバー体Ｋ0 及び直状保護カバーＣ3 を接続するための互いに直交する各接続口２３，２４とを備えている。カバー体Ｋ2 における各壁面Ｗ2 ，Ｗ3 に配置される各部分の長さＬ21，Ｌ22は異なっていて、壁面Ｗ3 に配置される側が、壁面Ｗ2 に配置される側よりも長くなるように形成されている。そして、一対の側壁部２２における長さの長い側の内側面のみに、ベース体Ｖ1 の一対の被組付凹部４に嵌合される一対の組付凸部２６が対向して形成されている。カバー体Ｋ2 の一対の組付凸部２６と壁面Ｗ3 に配置される側の接続口２３との間の距離（Ｌ23）は、前記ベース体Ｖ1 の一対の被組付凹部４と出隅部用位置合せ片７の端面７ａとの間の距離（Ｌ02）に等しい。
【００３４】
上記したように、出隅部及び入隅部の各保護カバーＣ1 ，Ｃ2 を構成する各カバー体Ｋ1 ，Ｋ2 は、出隅部Ａ又は入隅部Ｂを構成する二つの壁面Ｗ1 ，Ｗ2 （Ｗ2 ，Ｗ3 ）に配置される各部分の長さが異なっていて、一対の側壁部１２（２２）における長さの長い側の内側面のみに一対の組付凸部１６（２６）が対向して形成されていて、一対の側壁部１２（２２）における長さの長い側、換言すると壁面に対する必要保持力が大きな側において各カバー体Ｋ1 ，Ｋ2 がベース体Ｖ1 に組み付けられる構成となっている。このため、一対の側壁部１２（２２）における長さが短くて、必要保持力の小さな側は、壁面Ｗ2 に対して固定されていなくても、各カバー体Ｋ1 ，Ｋ2 を安定して壁面Ｗ1 （Ｗ3 ）に対して保持固定できる（図９参照）。
【００３５】
出隅部及び入隅部の各保護カバーＣ1 ，Ｃ2 を構成する各カバー体Ｋ1 ，Ｋ2 の天壁部１１，２１における壁面Ｗ2 に配置される部分の内面には、当該各カバー体Ｋ1 ，Ｋ2 の間である壁面Ｗ2 に配置される直状カバー体Ｋ0 が配管方向に沿って移動するのを規制する規制突起１７，２７がそれぞれ設けられている。
【００３６】
また、直状保護カバーＣ3 は、配管材Ｐの直線配管部を覆う公知のカバーであって、図２及び図５（ｂ）に示されるように、内部に配管材Ｐを収容保持して、壁面Ｗ1 ，Ｗ3 に固定されるベース体Ｖ3 と、当該ベース体Ｖ3 に覆蓋されるカバー体Ｋ3 とから成る。ベース体Ｖ3 は、板状のベース部３１の幅方向の両端部に弾性変形可能な一対の保持壁部３２が起立して形成され、当該一対の保持壁部３２の基端部の外側に嵌合凹部３３が形成され、前記ベース部３１の裏面側に前記位置決め凹部３４が設けられている。一方、カバー体Ｋ3 は、天壁部３５の幅方向の両端部に一対の側壁部３６が対向して形成され、当該一対の側壁部３６の下端部の内側に、前記ベース体Ｖ3 の嵌合凹部３３に嵌合される嵌合凸部３７が形成されている。そして、ベース体Ｖ3 の一対の保持壁部３２の間に配管材Ｐを挿入保持された状態で、当該ベース体Ｖ3 に対してカバー体Ｋ3 を覆蓋させると、ベース体Ｖ3 の一対の嵌合凹部３３に対してカバー体Ｋ3 の一対の嵌合凸部３７が嵌合されて、ベース体Ｖ3 とカバー体Ｋ3 とが組み付けられる。
【００３７】
また、図２、図３及び図６に示されるように、配管材Ｐにおける建物壁における隣接する出隅部Ａ及び入隅部Ｂとの間の壁面Ｗ2 に配管される部分は、直状カバー体Ｋ0 のみによって覆われる。直状カバー体Ｋ0 は、前記直状保護カバーＣ3 を構成するカバー体Ｋ3 の一対の側壁部３６の内側面に設けられた一対の嵌合凸部３７を欠落させた構成であって、天壁部４１の幅方向の両端部に一対の側壁部４２が一体に接続された構成である。なお、入隅部及び出隅部の各保護カバーＣ1 ，Ｃ2 を構成するベース体Ｖ1 及び各保護カバー体Ｋ1 ，Ｋ2 は、樹脂の射出成形により形成され、中間直状保護カバー体Ｋ0 並びに直状保護カバーＣ3 を構成するベース体Ｖ3 とカバー体Ｋ3 は、樹脂の押出成形により形成される。
【００３８】
次に、図１〜図４を参照して、各保護カバーＣ1 〜Ｃ3 及び直状カバー体Ｋ0 を使用して、建物壁の出隅部Ａ及び入隅部Ｂを通って各壁面Ｗ1 〜Ｗ3 に配管材Ｐを配管する方法（施工順序）について説明する。図１に示されるように、建物壁に設けられた出隅部Ａと入隅部Ｂとは、比較的近接していて、当該出隅部Ａ及び入隅部Ｂの部分に配管材Ｐを配管する例を挙げる。まず、図１に示されるように、各壁面Ｗ1 〜Ｗ3 の配管位置には罫書き線Ｊが罫書かれていて、出隅部Ａ及び入隅部Ｂを構成する二つの壁面のうち互いに平行な壁面Ｗ1 ，Ｗ3 に対してそれぞれベース体Ｖ1 を前記罫書き線Ｊに沿って固定する。出隅部Ａを構成する壁面Ｗ1 にベース体Ｖ1 を固定するには、出隅部用位置合せ片７の端面７ａを出隅部Ａの交差部Ａ0 に位置合せして、当該ベース体Ｖ1 を配管方向に配置して、ビス９１を介して当該ベース体Ｖ1 を壁面Ｗ1 に固定する。一方、入隅部Ｂを構成する壁面Ｗ3 にベース体Ｖ1 を固定するには、入隅部用位置合せ片８の端面８ａを入隅部Ｂの交差部Ｂ0 に位置合せして、即ち、当該端面８ａを壁面Ｗ2 に当接させた状態で、壁面Ｗ3 に対してベース体Ｖ1 をビス９１を介して固定する。
【００３９】
次に、図２及び図５（ｂ）に示されるように、出隅部Ａにおいては、壁面Ｗ1 に固定されたベース体Ｖ1 の入隅部用位置合せ片８が、直状保護カバーＣ3 のベース体Ｖ3 に設けられた位置決め凹部３４に挿入された状態で、当該ベース体Ｖ3 をビス（図示せず）を用いて壁面Ｗ3 に固定する。全く同様にして、入隅部Ｂにおいては、壁面Ｗ3 に固定されたベース体Ｖ1 の出隅部用位置合せ片７が、直状保護カバーＣ3 のベース体Ｖ3 に設けられた位置決め凹部３４に挿入された状態で、当該ベース体Ｖ3 をビス（図示せず）を用いて壁面Ｗ1 に固定する。図示の施工例では、各壁面Ｗ1 ，Ｗ3 において、直状保護カバーＣ3 のベース体Ｖ3 の端面は、いずれもベース体Ｖ1 に起立して形成された一対の起立部３の端面に当接している。出隅部Ａ及び入隅部Ｂに配管される配管材Ｐは互いに逆方向に屈曲して配管する必要があるため、所定長に切断された３本の配管材Ｐがエルボ９２を介して接続されており、各エルボ９２を出隅部Ａ及び入隅部Ｂに配置した状態で、接続済の２本の各配管材Ｐをそれぞれ壁面Ｗ1 ，Ｗ3 に固定された直状保護カバーＣ3 の各ベース体Ｖ3 に収容保持させる。
【００４０】
引き続いて、図３に示されるように、直状保護カバーＣ3 のベース体Ｖ3 に対してカバー体Ｋ3 を覆蓋させた後に、壁面Ｗ2 に配管された配管材Ｐを覆う直状カバー体Ｋ0 を一方の手で保持した状態で、他方の手で持った出隅部保護カバーＣ1 のカバー体Ｋ1 を、壁面Ｗ1 に固定されたベース体Ｖ1 に対して押し込むと、当該ベース体Ｖ1 の一対の被組付凹部４に対してカバー体Ｋ1 の一対の組付凸部１６が嵌合して、壁面Ｗ1 に固定されたベース体Ｖ1 に対してカバー体Ｋ1 が一体に組み付けられる。全く同様にして、壁面Ｗ3 に固定された別のベース体Ｖ1 に対して入隅部保護カバーＣ2 のカバー体Ｋ2 を押し込んで、当該別のベース体Ｖ1 に対してカバー体Ｋ2 を一体に組み付ける。
【００４１】
これにより、図４及び図６に示されるように、各カバー体Ｋ1 ，Ｋ2 は、直状保護カバーＣ3 のカバー体Ｋ3 及び直状カバー体Ｋ0 の各端部に対して所定長だけ覆い被さった状態で、別々のベース体Ｖ1 に対して一体に組み付けられる。また、直状カバー体Ｋ0 の両端面は、それぞれ各カバー体Ｋ1 ，Ｋ2 の天壁部１１，２１の内面に設けられた各規制突起１７，２７に当接して、当該直状カバー体Ｋ0 は、配管方向に沿って移動不能となって、配置位置が固定される。
【００４２】
また、出隅部及び入隅部の各保護カバーＣ1 ，Ｃ2 を構成する各カバー体Ｋ1 ，Ｋ2 は、出隅部Ａ及び入隅部Ｂを構成する二つの壁面Ｗ1 ，Ｗ2 （Ｗ2 ，Ｗ3 ）に沿って配置されるが、各カバー体Ｋ1 ，Ｋ2 は、それぞれ壁面Ｗ1 ，Ｗ3 に沿って配置される長さの長い側においてのみ各ベース体Ｖ1 に一体に組み付けられることにより、各壁面Ｗ1 ，Ｗ3 に固定されていて、各カバー体Ｋ1 ，Ｋ2 における壁面Ｗ2 に沿って配置される長さの短い側は、当該壁面Ｗ2 に対しては固定されていないが、各カバー体Ｋ1 ，Ｋ2 における長さの短い側は、長さの長い側に比較して必要保持力が小さい。従って、各カバー体Ｋ1 ，Ｋ2 は、いずれも一方の側のみで各壁面Ｗ1 ，Ｗ3 に固定されていても、必要な保持力を有することになる。
【００４３】
また、上記した配管方法（施工順序）では、最初に、互いに平行な壁面Ｗ1 ，Ｗ3 の出隅部Ａ及び入隅部Ｂの部分に罫書き線Ｊに沿ってベース体Ｖ1 をそれぞれ固定することにより、配管作業を行ったが、以下に示す配管方法によれば、配管経路の一部にのみ罫書き線を罫書けば足り、必ずしも配管経路の全域に亘って罫書き線を罫書く必要がなくなる。
【００４４】
具体的には、図１０に示されるように、出隅部Ａに出隅部保護カバーＣ1 を設置する場合において、入隅部Ｂを構成する壁面Ｗ3 に固定された直状保護カバーＣ3 のベース体Ｖ3 と位置合せして、入隅部保護カバーＣ2 のベース体Ｖ1 を前記壁面Ｗ3 に固定した後に、当該ベース体Ｖ1 に入隅部保護カバー体Ｋ2 を一体に組み付けて、設定長に切断された直状カバー体Ｋ0 を壁面Ｗ2 に沿って配置して、その一端部を前記入隅部保護カバー体Ｋ2 に内挿して、規制突起２７に当接させ、この状態で、出隅部保護カバーＣ1 を構成するベース体Ｖ1 とで出隅部保護カバー体Ｋ1 とを一体に組み付けた状態で、当該出隅部保護カバー体Ｋ1 を、設置済の前記直状カバー体Ｋ0 に対して接続させる。これにより、直状カバー体Ｋ0 の他端面は、出隅部保護カバー体Ｋ1 の内面に設けられた規制突起１７に当接して、直状カバー体Ｋ0 に対して出隅部保護カバーＣ1 が正規の位置に配置される。ベース体Ｖ1 のベース部１には、幅広部２に形成されたビス挿通孔６の他に、当該ベース体Ｖ1 に対して出隅部保護カバー体Ｋ1 を組み付けた状態で、当該カバー体Ｋ1 から突出する部分に別のビス挿通孔６（図８参照）が形成されていて、当該別のビス挿通孔６に挿通されたビス９１を介して壁面Ｗ1 に対して前記ベース体Ｖ1 を固定する。
【００４５】
これにより、配管経路に設置された直状カバー体Ｋ0 を基準にして、建物壁の出隅部Ａに出隅部保護カバーＣ1 が設置固定されるので、壁面Ｗ1 には、出隅部保護カバーＣ1 のベース体Ｖ1 の設置位置を定めるための罫書き線Ｊを罫書く必要がなくなる。また、当然のことながら、上記のようにして、配管経路に設置された直状カバー体Ｋ0 を基準にして出隅部保護カバーＣ1 を設置することにより、当該出隅部保護カバーＣ1 を構成するベース体Ｖ1 は、ベース部１の出隅部用位置合せ片７の端面７ａが出隅部Ａの交差部Ａ0 に配置される正規の位置に配置される。なお、上記のようにして、出隅部保護カバーＣ1 を壁面Ｗ1 に固定した後には、配管材Ｐの配管のために、出隅部及び入隅部の各保護カバーＣ1 ，Ｃ2 のカバー体Ｋ1 ，Ｋ2 及び直状カバー体Ｋ0 は、取り外される。
【００４６】
また、上記実施例では、同一のベース体Ｖ1 が出隅部及び入隅部の各保護カバーＣ1 ，Ｃ2 を構成する各カバー体Ｋ1 ，Ｋ2 のいずれにも組付け可能であることにより、出隅部及び入隅部の各保護カバーＣ1 ，Ｃ2 に対してベース体Ｖ1 が共用可なことを説明した。しかし、本発明（請求項１，７の各発明）における「ベース体が共用可能である」とは、上記実施例に限られず、外観形状等が多少異なっていて、原則的には、出隅部ベース体と入隅部ベース体とが認識（区別）されているが、被組付部の構造が同一であるために、出隅部ベース体（入隅部ベース体）が入隅部保護カバー体（出隅部保護カバー体）に対して組付け可能である構成であっても、本発明の技術的範囲に含まれる。
【００４７】
また、図１１に示される出隅部保護カバーＣ1'は、直交配置される一対のベース体Ｖ1 を有している点において、前記出隅部保護カバーＣ1 と異なる。一対のベース体Ｖ1 は、出隅部用位置合せ片７の端部が、出隅部Ａの交差部Ａ0 において直交して交差するように、当該出隅部Ａを構成する各壁面Ｗ1 ，Ｗ2 に固定されている。カバー体Ｋ2'は、出隅部Ａを構成する各壁面Ｗ1 ，Ｗ2 に配置される部分の長さが等しいＬ字形の形状を有していて、側壁部１２’における各壁面Ｗ1 ，Ｗ2 に配置される部分には、それぞれ組付凸部１６が設けられている。このため、出隅部Ａを構成する二つの壁面Ｗ1 ，Ｗ2 に固定された各ベース体Ｖ1 に対してカバー体Ｋ2'を押し付けると、計４箇所においてベース体Ｖ1 の被組付凹部４とカバー体Ｋ2'の組付凸部１６とが嵌合して、一対のベース体Ｖ1 に対してカバー体Ｋ2'が一体に組み付けられる。よって、一対のベース体Ｖ1 に対するカバー体Ｋ2'の組付強度が高まる。
【００４８】
全く同様にして、入隅部保護カバーにおいても、入隅部Ｂを構成する二つの壁面Ｗ2 ，Ｗ3 に対してそれぞれベース体Ｖ1 を固定して、各ベース体Ｖ1 の被組付凹部４に対してカバー体における各壁面Ｗ2 ，Ｗ3 にそれぞれ設けられた組付部を嵌合させて、組付強度を高めることができる。なお、後述のように、特定の壁面に配置される２本の直状保護カバーを直線接続保護カバー体で接続する場合においても、２本のベース体Ｖ1 を直列に並べることにより、直線接続保護カバー体の組付強度を高めることも可能である。
【００４９】
次に、図１２〜図１４を参照して、上記したベース体Ｖ1 を単体として、或いは複数を組み合せて使用することにより、平面部において複数本の直状保護カバーＣ3 を接続する種々の例について説明する。
【００５０】
図１２に示される例は、ベース体Ｖ1 と直線接続保護カバー体Ｋ4 とで直線接続保護カバーＣ4 を示している。直線接続保護カバー体Ｋ4 は、外側に覆い被せた状態で２本の直状保護カバーＣ3 を接続するカバー体であって、前記ベース体Ｖ1 に一体に組み付けられる。即ち、直線接続保護カバー体Ｋ4 は、直状保護カバーＣ3 を構成するカバー体Ｋ3 に対して僅かに相似大形に形成されて、天壁部５１の両側に一体に接続して形成された一対の側壁部５２の下端部の内側面に、前記ベース体Ｖ1 の被組付凹部４に嵌合される組付凸部５３が形成されている。このため、壁面Ｗ10の配管位置にベース体Ｖ1 をビス９１を介して固定しておいて、当該ベース体Ｖ1 の出隅部用及び入隅部用の各位置合せ片７，８を用いて、２本の直状保護カバーＣ3 を構成する各ベース体Ｖ3 の前記ベース体Ｖ1 に対する幅方向の位置合せを行って、当該２本の各ベース体Ｖ3 を壁面Ｗ10に固定して、当該２本のベース体Ｖ3 に配管材Ｐを収容保持させた後に、各ベース体Ｖ3 にそれぞれカバー体Ｋ3 を覆蓋させると、２本の直状保護カバーＣ3 の間には、ベース体Ｖ1 に設けられた一対の起立部３の長さと等しい隙間５４が形成される。最後に、壁面Ｗ10に固定されたベース体Ｖ1 に対してカバー体Ｋ4 を覆蓋させて押し付けると、当該カバー体Ｋ4 に設けられた一対の組付凸部５３が、ベース体Ｖ1 の一対の被組付凹部４に嵌合される。これにより、ベース体Ｖ1 に対してカバー体Ｋ4 が一体に組み付けられて、２本の直状保護カバーＣ3 の各端部、及び両者の間に形成された前記隙間５４がカバー体Ｋ4 により覆われて、２本の直状保護カバーＣ3 が直線接続保護カバーＣ4 により接続される。
【００５１】
また、図１３に示される例は、直列に並べられた２本のベース体Ｖ1 を有する直線接続保護カバーＣ5 を介して２本の直状保護カバーＣ3 が接続される状態を示している。直線接続保護カバーＣ5 と、前記直線接続保護カバーＣ4 の相違は、ベース体Ｖ1 の本数が前者が２本であるのに対して後者が１本であると共に、前者のカバー体Ｋ5 の長さが後者のカバー体Ｋ4 の長さよりも長くなっている点である。即ち、２本のベース体Ｖ1 は、出隅部用位置合せ片７の端面７ａを当接させた状態で直列に並べられて壁面Ｗ10に固定されるため、各ベース体Ｖ1 の起立部３の端面に当接した状態で壁面Ｗ10に固定される２本の直状保護カバーＣ3 の各端部の間に形成される隙間６４は、前記隙間５４よりも長くなる。このため、カバー体Ｋ5 の長さは、前記隙間６４に対応した長さになっていて、一対の側壁部６２の下端部の内側面には、２本のベース体Ｖ1 に形成された二対の被組付凹部４に対応して、二対の組付凸部６３が形成されている。このため、２本の直状保護カバーＣ3 の各ベース体Ｖ3 が、直列に並べられた２本のベース体Ｖ1 により幅方向の位置合せがそれぞれ行われた状態となって、当該各ベース体Ｖ3 に対してそれぞれカバー体Ｋ3 が覆蓋されて、２本の直状保護カバーＣ3 の各端部の間の所定長の隙間６４の部分に、直線接続保護カバーＣ5 を構成するカバー体Ｋ5 を押し込んで、当該カバーＫ5 の両端部により各直状保護カバーＣ3 の両端部が覆蓋されて、２本の直状保護カバーＣ3 が接続される。なお、図１３において、６１は、カバー体Ｋ5 の天壁部を示す。
【００５２】
更に、図１４に示される例は、Ｔ字状に配置された３本のベース体Ｖ1 を有するＴ字接続保護カバーＣ6 を介して３本の直状保護カバーＣ3 が接続される状態を示している。３本のベース体Ｖ1 は、出隅部用位置合せ片７の端面７ａが当接するようにＴ字状に配置されて、壁面Ｗ10に固定され、Ｔ字接続保護カバーＣ6 を構成するカバー体Ｋ6 は、同様にＴ字状をなしていて、Ｔ字状の天壁部７１に対して長手方向の側壁部７２ａと長手方向に直交する側壁部７２ｂとが接続して一体に設けられ、各側壁部７２ａ，７２ｂの内側面には、それぞれ組付凸部７３が形成されている。このため、Ｔ字状に配置された３本のベース体Ｖ1 により幅方向の位置合せが行われて、Ｔ字状に配置された３本の直状保護カバーＣ3 の各端部の間には隙間７４が形成され、当該隙間７４は、３本の直状保護カバーＣ3 の各端部を覆うようにして、各組付凸部７３が、３本のベース体Ｖ1 の各被組付凹部４に嵌合されるカバー体Ｋ6 により覆われる。
【００５３】
上記において種々の配管例を挙げて説明したように、出隅部保護カバー体Ｋ1 、入隅部保護カバー体Ｋ2 、及び直線接続保護カバー体Ｋ4 ，Ｋ5 ，Ｋ6 の異なる三種類の保護カバー体に対して同一のベース体Ｖ1 が共用可能となって、出隅部保護カバーＣ1 、入隅部保護カバーＣ2 、及び直線接続保護カバーＣ4 ，Ｃ5 ，Ｃ6 を、出隅部Ａ又は入隅部Ｂを構成する二つの壁面Ｗ1 ，Ｗ2 （Ｗ2 ，Ｗ3 ）のうちの一方の壁面Ｗ1 （Ｗ3 ）、或いは直状保護カバーＣ3 が配置される一般的な壁面Ｗ10に対して固定可能となる。
【符号の説明】
【００５４】
Ａ：出隅部
Ａ0 ：出隅部の交差部
Ｂ：入隅部
Ｂ0 ：入隅部の交差部
Ｃ1 ：出隅部保護カバー
Ｃ2 ：入隅部保護カバー
Ｃ3 ：直状保護カバー
Ｃ4 〜Ｃ6 ：直線接続保護カバー
Ｋ1 ：出隅部保護カバー体
Ｋ2 ：入隅部保護カバー体
Ｋ3 ：直状保護カバーのカバー体
Ｋ4 〜Ｋ6 ：直線接続保護カバー体
Ｐ：配管材
Ｖ1 ：ベース体
Ｖ3 ：直状保護カバーのベース体
Ｗ1 〜Ｗ3,Ｗ10：壁面
４：ベース体の被組付凹部（被組付部）
７：出隅部用位置合せ片
８：入隅部用位置合せ片
11,21,51,61,71：カバー体の天壁部
12,22,52,62,72：カバー体の側壁部
１３：出隅部保護カバー体の接続口
２３：入隅部保護カバー体の接続口
16,26,53,63,73：カバー体の組付凸部（組付部）
【図１】
0005734743.tif 000002
【図２】
0005734743.tif 000003
【図３】
0005734743.tif 000004
【図４】
0005734743.tif 000005
【図５】
0005734743.tif 000006
【図６】
0005734743.tif 000007
【図７】
0005734743.tif 000008
【図８】
0005734743.tif 000009
【図９】
0005734743.tif 000010
【図１０】
0005734743.tif 000011
【図１１】
0005734743.tif 000012
【図１２】
0005734743.tif 000013
【図１３】
0005734743.tif 000014
【図１４】
0005734743.tif 000015